(57)【要約】【課題】アスファルト加熱時に生じる不快な臭いをマスキングすることを可能とするアスファルト用消臭剤を提供することを目的とする。【解決手段】ジヒドロミルセノール及びアリルアミルグリコレートから選ばれる少なくとも１種の特定香料成分を含有することを特徴とするアスファルト用消臭剤。【選択図】なし【特許請求の範囲】
【請求項１】
ジヒドロミルセノール及びアリルアミルグリコレートから選ばれる少なくとも１種の特定香料成分を含有することを特徴とするアスファルト用消臭剤。
【請求項２】
さらに油剤を含有する、請求項１に記載のアスファルト用消臭剤。
【請求項３】
さらにフローラル系香料を含有する、請求項１又は２に記載のアスファルト用消臭剤。
【発明の詳細な説明】
【技術分野】
【０００１】
本発明は、アスファルトを加熱する際に発生する不快臭を効果的にマスキングするアスファルト用消臭剤に関する。
【背景技術】
【０００２】
アスファルト、油脂加工品、ゴム加工品等の製造工場では、加熱工程を伴うことにより、様々な臭気が発生している。特にアスファルトプラントでは、アスファルトと骨材を１５０℃〜１７０℃で加熱混合してアスファルト混合物を製造するが、アスファルトは高温で加熱されると、アスファルト中に含まれる硫黄系成分や炭化水素化合物が酸化劣化して、カルボン酸やアルデヒドといった異臭成分が発生する。特に改質系のアスファルトの場合は、アスファルト中のゴムやプラスチックの劣化物により更に異臭が強くなる。
このように、アスファルトプラントは、加熱工程を伴うため臭気が発生しやすく隣接地域に大きな影響を及ぼしている。またダンプトラックによるアスファルト混合物の運搬時、及びアスファルトを用いる道路舗装等の施工現場でも臭気の問題が生じる場合がある。
【０００３】
このような臭気対策として、香料等を含有した液状の芳香添加剤をアスファルトに混合することで、悪臭・異臭をマスキング（遮蔽）し、感覚的にそれらの臭気を抑制する手法がとられている（特許文献１）。この技術は、アスファルトタンクローリーのハッチから芳香添加剤を導入し輸送中にアスファルトと混合したり、あるいはアスファルトプラントにおけるアスファルト貯蔵タンク又はミキサー内のアスファルトに芳香添加剤を直接添加して一緒に混合したりすることが可能であり、簡便に実施できることから、一般的に使用されている技術である。
また、シリカゲル等の無機物を香料の保持基材として香料と混合したアスファルト用防臭組成物により、高温でも消臭効果を持続させるなどの試みがある（特許文献２）。
【先行技術文献】
【特許文献】
【０００４】
【特許文献１】特開２００３−３４２９０８号公報
【特許文献２】特開２００７−１３７９２２号公報
【発明の概要】
【発明が解決しようとする課題】
【０００５】
しかし、上記特許文献１に記載された液状の芳香添加剤は、揮発性が高く、加熱下でアスファルトに添加すると短時間で香料成分が揮発して消臭効果が持続しないことがある。また、上記特許文献２に記載された防臭組成物は、香料の含有量が多いにもかかわらずアスファルト特有の不快臭を十分に解消することが困難である。
そこで本発明は、アスファルトを加熱する際に生じる不快な臭いをマスキングすることを可能とするアスファルト用消臭剤を提供することを目的とする。
【課題を解決するための手段】
【０００６】
本発明者らは、前記従来の課題を解決するために鋭意検討を行った結果、特定の香料成分を含有するアスファルト用消臭剤を用いることで、アスファルト加熱時に生じる不快な臭いを効果的に抑制できることを見出し、本発明を完成するに至った。
すなわち、本発明は次の［１］〜［３］を提供するものである。
［１］ジヒドロミルセノール及びアリルアミルグリコレートから選ばれる少なくとも１種の特定香料成分を含有することを特徴とするアスファルト用消臭剤。
［２］さらに油剤を含有する、上記［１］に記載のアスファルト用消臭剤。
［３］さらにフローラル系香料を含有する、上記［１］又は［２］に記載のアスファルト用消臭剤。
【発明の効果】
【０００７】
本発明のアスファルト用消臭剤は、少量でも、アスファルト加熱時に生じる不快な臭いを効果的にマスキングでき、アスファルト混合物製造時及び道路舗装時などの作業環境を改善することが出来る。
【発明を実施するための形態】
【０００８】
以下、本発明を更に詳細に説明する。
本明細書において、好ましい数値範囲（例えば、含有量等の範囲）を段階的に記載した場合、各下限値及び上限値は、それぞれ独立して組み合わせることができる。例えば、「好ましくは１０以上、より好ましくは２０以上、そして、好ましくは１００以下、より好ましくは９０以下」という記載において、「好ましい下限値：１０」と「より好ましい上限値：９０」とを組み合わせて、「１０以上９０以下」とすることができる。また、例えば、「好ましくは１０〜１００、より好ましくは２０〜９０」という記載においても、同様に「１０〜９０」とすることができる。
【０００９】
［特定香料成分］
本発明のアスファルト用消臭剤は、ジヒドロミルセノール及びアリルアミルグリコレートから選ばれる少なくとも１種の特定香料成分を含有する。このような特定香料成分を含有することにより、アスファルト加熱時の不快な臭いを効果的にマスキングすることができる。
特定香料成分としては、ジヒドロミルセノール及びアリルアミルグリコレートのいずれかを単独で用いてもよいし、両方を組み合わせて用いてもよい。アスファルト加熱時の不快な臭いをより効果的にマスキングする観点から、ジヒドロミルセノール及びアリルアミルグリコレートの両方を組み合わせて用いることが好ましい。
【００１０】
ジヒドロミルセノール及びアリルアミルグリコレートを組み合わせて用いる場合、ジヒドロミルセノールとアリルアミルグリコレートとの質量比（ジヒドロミルセノール／アリルアミルグリコレート）は特に制限を受けないが、好ましくは２０／１〜１／２、より好ましくは１５／１〜１／１、さらに好ましくは１０／１〜３／１である。このような質量比とすることにより、アスファルト加熱時の不快な臭いをより効果的にマスキングすることができる。
【００１１】
特定香料成分の含有量は特に限定されないが、アスファルト用消臭剤全量基準で、好ましくは０．０１質量％以上であり、より好ましくは０．０５質量％以上であり、更に好ましくは０．１質量％以上であり、そして、好ましくは５質量％以下であり、より好ましくは１質量％以下であり、０．５質量％以下である。
【００１２】
［他の香料成分］
本発明のアスファルト用消臭剤は、特定香料成分以外の他の香料成分を含有してもよい。他の香料成分としては特に制限を受けず、例えば、酢酸エチル（パイナップル臭）、リモネン（オレンジ臭）、ペンタン酸ペンチル（リンゴ臭）等の果実臭の香料成分、フローラル系香料、ムスク系香料、シトラス系香料などが挙げられる。他の香料成分を用いる場合は、消臭剤全量基準に対して、０．１〜１０質量％が好ましく、０．５〜５質量％がより好ましく、１〜３質量％がさらに好ましい。
【００１３】
上記した他の香料成分の中でも、フローラル系香料が好ましい。本発明の特定香料成分、及びフローラル系香料を組み合わせることにより、アスファルト加熱時の不快な臭いをより効果的にマスキングすることができる。
また、本発明の特定香料成分とフローラル系香料を組み合わせる場合、アスファルト加熱時の不快な臭いをより長時間抑制する観点から、ジヒドロミルセノール及びフローラル系香料の組み合わせが好ましく、ジヒドロミルセノール、アリルアミルグリコレート、及びフローラル系香料の３成分を組み合わせて使用することがより好ましい。
特定香料成分に対するフローラル系香料の量（フローラル系香料／特定香料成分）は、１〜３０であることが好ましく、３〜２０であることが好ましい。
【００１４】
［油剤］
本発明のアスファルト用消臭剤は、油剤を含有することが好ましい。油剤を含有することにより、特定香料成分、及び必要に応じて配合されるその他の香料成分の分散性が向上し、揮発を防止し易くなる。
【００１５】
油剤の種類は特に限定されないが、例えば、脂肪酸モノエステル、脂肪酸ジエステル、脂肪酸トリエステル、脂肪酸テトラエステル、ポリアルキレングリコールなどが挙げられ、脂肪酸ジエステル、脂肪酸トリエステル、脂肪酸テトラエステルが好ましい。中でも、２価以上の多価アルコールと脂肪酸がエステル結合した構造を有する油剤が好ましい。
【００１６】
２価以上の多価アルコールと脂肪酸とがエステル結合した構造を有する油剤における、２価以上の多価アルコールは、例えば、１，４−シクロヘキサンジメタノール、エチレングリコール、ジエチレングリコール、プロピレングリコール、ジプロピレングリコール、トリプロピレングリコール等の２価のアルコール、トリメチロールエタン、トリメチロールプロパン、ペンタエリスリトール、ソルビトール等の３価以上のアルコールが挙げられる。
【００１７】
２価以上の多価アルコールと脂肪酸とがエステル結合した構造を有する油剤における、脂肪酸としては、飽和脂肪酸でも不飽和脂肪酸でもよいし、直鎖脂肪酸でも分岐脂肪酸でもよい。脂肪酸の炭素数は、特に限定されないが好ましくは６〜３０、より好ましくは９〜２４である。脂肪酸の具体例としては、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、イコサン酸、ヘンイコサン酸、ドコサン酸、トリコサン酸、テトラコサン酸、ペンタコサン酸、ヘキサコサン酸、ヘプタコサン酸、オクタコサン酸、ノナコサン酸、トリアコンタン酸等の飽和脂肪酸、ヘキセン酸、ヘプテン酸、オクテン酸、ノネン酸、デセン酸、ウンデセン酸、ドデセン酸、トリデセン酸、テトラデセン酸、ペンタデセン酸、ヘキサデセン酸、ヘプタデセン酸、オクタデセン酸（オレイン酸を含む）、ノナデセン酸、イコセン酸、ヘンイコセン酸、ドコセン酸、トリコセン酸、テトラコセン酸、ペンタコセン酸、ヘキサコセン酸、ヘプタコセン酸、オクタコセン酸、ノナコセン酸、トリアコンテン酸等の不飽和脂肪酸等が挙げられる。
【００１８】
これらの中でも、３価以上の多価アルコールと脂肪酸がエステル結合した構造を有する油剤が好ましい。このような油剤の中でも、トリメチロールプロパントリオレート、ペンタエリスリトールテトラオレートがより好ましく、ペンタエリスリトールテトラオレートが更に好ましい。
【００１９】
油剤の含有量は特に限定されないが、アスファルト用消臭剤全量基準に対して好ましくは９０質量％以上であり、より好ましくは９４質量％以上であり、更に好ましくは９８質量％以上であり、そして、好ましくは９９．９８質量％以下であり、より好ましくは９９．９５質量％以下であり、更に好ましくは９９．９質量％以下である。
【００２０】
本発明のアスファルト用消臭剤は、アスファルトに添加してアスファルト加熱時に生じる不快な臭いを効果的にマスキングすることができる。アスファルトの種類は特に限定されず、例えば、ストレートアスファルト、アスファルト混合物などが挙げられる。アスファルト混合物は、一般的には、ストレートアスファルトと、砕石、砂利、石粉等からなる骨材とを含み、さらに必要に応じてゴム、熱可塑性エラストマー等の改質剤、その他の添加剤を含むものである。
本発明のアスファルト用消臭剤のアスファルトに対する使用量は特に限定されるものではないが、アスファルトに対して好ましくは１０〜１００００ｐｐｍであり、より好ましくは５０〜１０００ｐｐｍであり、更に好ましくは１００〜５００ｐｐｍであり、特に好ましくは１００〜３００ｐｐｍである。
【実施例】
【００２１】
以下、本発明を実施例により具体的に説明するが、本発明はこれらにより限定されるものではない。
（消臭剤の調製）
表１にアスファルト用消臭剤に使用する香料成分（特定香料成分、他の香料成分）、及び油剤の組合せを示す。香料成分と油剤を混合し、十分に攪拌して消臭剤を調製した。調製した各消臭剤を用いて、下記実施例、比較例により消臭剤の官能試験を行った。
【００２２】
【表１】
2019162346.tif 000002
【００２３】
＜実施例１＞
（１）ストレートアスファルトに対する官能試験
加熱したストレートアスファルト６０／８０（昭和シェル石油株式会社製）５００ｇをガラス容器に移し温度を１７０℃に保ちつつ、アスファルト用消臭剤（Ａ−１）を１２５ｍｇ（ストレートアスファルトに対して２５０ｐｐｍ）添加した。素早く攪拌し消臭剤を分散させた後、添加直後、添加１分後及び添加３０分後のアスファルトの臭いを嗅ぎ、マスキングの評価（官能試験）を行った。結果を表２に示す。
（２）アスファルト混合物に対する官能試験
加熱したアスファルト混合物（アスファルト５％含有）２ｋｇを耐熱バットに移し温度を１７０℃に保ちつつ、アスファルト用消臭剤（Ａ−１）を２５ｍｇ（アスファルト含有量に対して２５０ｐｐｍ）添加した。スコップを用いて消臭剤を十分になじませた後、添加直後及び添加１分後のアスファルト混合物の臭いを嗅ぎ、マスキングの評価（官能試験）を行った。結果を表２に示す。
［官能試験］
官能試験は、計８人のパネラーに対象となるアスファルトの臭いを嗅いでもらい、下記評価基準による４段階に分けて評価を行った。
（評価基準）
◎：アスファルト臭をほとんど感じない
○：アスファルト臭より香料の香りを強く感じる
△：香料の香りよりアスファルト臭を強く感じる
×：アスファルト臭しか感じない
【００２４】
＜実施例２〜６、比較例１〜３＞
アスファルト用消臭剤の種類を表２のとおり変更した以外は、実施例１と同様にして官能試験を行った。結果を表２に示す。
【００２５】
＜比較例４＞
アスファルト用消臭剤を用いなかったこと以外は、実施例１と同様にして官能試験を行った。結果を表２に示す。
【００２６】
【表２】
2019162346.tif 000003
【００２７】
表２に官能試験の結果を示す。実施例１〜２より、特定香料成分であるジヒドロミルセノールあるいはアリルアミルグリコレートを含有する消臭剤を添加した場合、少量でも良好に不快臭をマスキングすることができた。
実施例３〜４では、さらに香料成分としてフローラルを含有することで添加直後のマスキングが優れていた。
また、実施例５では、ジヒドロミルセノール及びアリルアミルグリコレートを併用したところ、実施例１〜２よりも個々の特定香料成分を少なくしてもマスキングが可能であり、添加直後のマスキングが優れていた。実施例６では、実施例５の消臭剤の組成にさらにフローラルを含むことで最もマスキングに優れていた。
比較例１〜３では、果実臭の香料からなる消臭剤を用いたことから、少量ではアスファルトの臭いを十分にマスキングすることが出来なかった。
比較例４では、香料を含む添加剤を加えていないことから、アスファルトの臭いを強く感じた。